(57)【特許請求の範囲】
【請求項１】
被写体を撮像して画像データを生成する撮像部と、
前記画像データに基づく画像を表示する表示部と、
前記画像データを記録する複数の記録媒体間における画像データのコピーを実行する制御部と、
メモリと、
を備え、
前記制御部は、
前記複数の記録媒体のうち、最後に画像データを記録した記録媒体又は最後に画像データを読み出した記録媒体を示す対象媒体情報を前記メモリに記憶し、
前記対象媒体情報に基づき、前記複数の記録媒体のうち、画像データのコピー元の記録媒体及びコピー先の記録媒体を含むコピー方向を設定する、
撮像装置。
【請求項２】
前記制御部は、設定された前記コピー方向を示す情報を前記表示部により出力させる、請求項１に記載の撮像装置。
【請求項３】
前記複数の記録媒体は、第１記録媒体と第２記録媒体とを含み、
前記制御部は、
前記対象媒体情報が前記第１記録媒体を示す場合は、前記コピー方向を、前記第１記録媒体から前記第２記録媒体として設定し、
前記対象媒体情報が前記第２記録媒体を示す場合は、前記コピー方向を、前記第２記録媒体から前記第１記録媒体として設定する、
請求項１又は２に記載の撮像装置。
【請求項４】
前記複数の記録媒体は、第１記録媒体と第２記録媒体とを含み、
前記制御部は、前記第１記録媒体及び前記第２記録媒体における画像データの有無をそれぞれ確認し、
前記第１記録媒体及び前記第２記録媒体のうち一方の記録媒体に画像データが記録されていない場合は、前記コピー方向を、前記第１記録媒体及び前記第２記録媒体のうち他方の記録媒体から前記一方の記録媒体として設定する、
請求項１から３のいずれかに記載の撮像装置。
【請求項５】
ユーザの操作により前記画像データのコピーを要求する第１入力を受け付ける操作部を備え、
前記制御部は、前記第１入力に応じて、前記コピー方向を示す情報を設定し、前記コピー方向に応じて前記画像データのコピーを実行する、
請求項１から４のいずれかに記載の撮像装置。
【請求項６】
前記操作部は、ユーザの操作により前記コピー方向の変更を要求する第２入力を受け付け、
前記制御部は、前記第２入力に応じて、前記コピー方向を変更し、変更した前記コピー方向に応じて前記画像データのコピーを実行する、
請求項５に記載の撮像装置。
【請求項７】
前記複数の記録媒体に接続可能な媒体接続部を備え、
前記複数の記録媒体は、少なくとも第１記憶装置及び第２記憶装置を含み、
前記媒体接続部は、前記第１記憶装置を装着可能な第１媒体接続部と、前記第２記憶装置を装着可能な第２媒体接続部とを含む、
請求項１から６のいずれかに記載の撮像装置。
【請求項８】
ユーザの操作により前記画像データのコピーを要求する第１入力を受け付ける操作部を備え、
前記制御部は、前記第１記憶装置及び前記第２記憶装置のいずれか一方が装着されていない場合は、前記画像データのコピーを実行しない、
請求項７に記載の撮像装置。
【発明の詳細な説明】
【技術分野】
【０００１】
本開示は、撮像装置に関し、特に撮像装置により撮像した画像データを複数の記録媒体に記録が可能であり、記録媒体間でデータのコピーが可能な撮像装置に関する。
【背景技術】
【０００２】
複数の記録媒体（メモリーカード等）を装着するために複数のカードスロットを有する撮像装置が知られている（例えば、特許文献１参照）。
【先行技術文献】
【特許文献】
【０００３】
【特許文献１】特開平１１−１４６３２８号公報
【発明の概要】
【発明が解決しようとする課題】
【０００４】
撮像装置において、複数の記録媒体間で撮像した画像データをコピーするニーズがある。例えば、画像データのバックアップのためや、画像データに応じて保存先を変える等、画像データを一方の記録媒体から他方の記録媒体にコピーする場合がある。しかし、限られたユーザインタフェース（表示モニタや操作部）しか設けることができない撮像装置において、どの記録媒体からどの記録媒体へ画像データをコピーするのかというコピー方向を固定的に設定すると、コピー動作を実行する度に、コピー方向の確認と変更作業が必要になる。このため、記録媒体間の画像データのコピー操作が煩雑となる課題があった。
【０００５】
本開示は、複数の記録媒体間における画像データのコピーの操作を、簡単且つ円滑に行うことを可能とする撮像装置を提供する。
【課題を解決するための手段】
【０００６】
本開示における撮像装置は、撮像部と、媒体接続部と、表示部と、制御部と、メモリとを備える。撮像部は、被写体を撮像して画像データを生成する。媒体接続部は、画像データを記録する複数の記録媒体に接続可能である。表示部は、画像データに基づく画像を表示する。制御部は、複数の記録媒体間における画像データのコピーを実行する。制御部は、複数の記録媒体のうち、最後に画像データを記録した記録媒体又は最後に画像データを読み出した記録媒体を示す対象媒体情報をメモリに記憶する。制御部は、対象媒体情報に基づき、複数の記録媒体のうち、画像データのコピー元の記録媒体及びコピー先の記録媒体を含むコピー方向を設定する。
【発明の効果】
【０００７】
本開示によれば、複数の記録媒体間における画像データのコピーの操作を、簡単且つ円滑に行うのに有効である。
【図面の簡単な説明】
【０００８】
【図１】図１は、実施の形態１に係るデジタルカメラの全体構成を示す図である。
【図２】図２は、実施の形態１に係るデジタルカメラの背面図である。
【図３】図３は、実施の形態１に係るデジタルカメラによる全体動作を示すフローチャートである。
【図４】図４は、実施の形態１に係るデジタルカメラによる記録処理時の動作を示すフローチャートである。
【図５】図５は、図４に示すデジタルカメラによる記録方法等設定処理時の画面遷移を示す。
【図６】図６は、実施の形態１に係るデジタルカメラよる画像の再生処理時の動作を示すフローチャートである。
【図７】図７は、実施の形態１に係るデジタルカメラによる画像のコピー処理時の動作を示すフローチャートである。
【図８】図８は、図７に続く、デジタルカメラによる画像のコピー処理時の動作を示すフローチャートである。
【図９】図９は、図７に続く、デジタルカメラによる画像のコピー処理時の動作を示すフローチャートである。
【図１０】図１０は、図７から図９に示す画像のコピー処理時の画面遷移を示す。
【図１１】図１１は、図７から図９に示す画像のコピー処理時の画面遷移を示す。
【図１２Ａ】図１２Ａは、デジタルカメラにより更新される参照テーブルの例を示す。
【図１２Ｂ】図１２Ｂは、デジタルカメラにより更新される参照テーブルの例を示す。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者は、当業者が本開示を十分に理解するために添付図面及び以下の説明を提供するのであって、これらによって特許請求の範囲に記載の主題を限定することを意図するものではない。
【００１０】
本開示において、「記録媒体」は、撮像装置から取り外された（或いは接続が解除された）状態の記録媒体に限定されず、撮像装置に装着された状態の記録媒体を含む。例えば、記録媒体が後述するメモリカード２０１，２０２（図１）であってそれぞれカードスロット１，２に装着されている場合、カードスロット１，２を特定することは装着されているメモリカード２０１，２０２を特定することを含む。
【００１１】
［１．実施の形態１］
以下、図面を参照しながら、実施の形態１に係る撮像装置について説明する。
【００１２】
［１−１．構成］
図１は、実施の形態１に係るデジタルカメラ（撮像装置の一例）の構成を示す。デジタルカメラ１００は、１つ又は複数のレンズからなる光学系１１０により形成された被写体像を、撮像部としてのＣＭＯＳ（Ｃｏｍｐｌｅｍｅｎｔａｒｙ  ＭＯＳ）１４０で撮像する撮像装置である。ＣＭＯＳ１４０で生成された画像データは、画像処理部１６０で各種処理が施され、メモリカード２０１，２０２に格納される。以下、デジタルカメラ１００の構成を詳細に説明する。
【００１３】
光学系１１０は、フォーカスレンズ１１１、ズームレンズ１１２、及び手振れ補正レンズ１１３を含む。ズームレンズ１１２を光軸に沿って移動させることにより、被写体像の拡大又は縮小をすることができる。また、フォーカスレンズ１１１を光軸に沿って移動させることにより、被写体像のピント（合焦状態）を調整することができる。また、手振れ補正レンズ１１３は、デジタルカメラ１００のブレによる画像のブレを補正する。
【００１４】
レンズ駆動部１２０は、光学系１１０に含まれる各種レンズ（例えばズームレンズ１１２及びフォーカスレンズ１１１）を駆動させる。レンズ駆動部１２０は、例えばズームレンズ１１２を駆動するズームモータ、及びフォーカスレンズ１１１を駆動するフォーカスモータを含む。
【００１５】
絞り３００は、ユーザの設定に応じて又は自動で開口部の大きさを調整し、開口部を透過する光の量を調整する。
【００１６】
シャッタ１３０は、ＣＭＯＳ１４０に透過させる光を遮光するための手段である。シャッタ１３０は、光学系１１０及び絞り３００とともに、被写体像を示す光学情報を制御する。また、光学系１１０及び絞り３００はレンズ鏡筒内に収納される。
【００１７】
ＣＭＯＳ１４０（撮像部の一例）は、光学系１１０で形成された被写体像を撮像して、画像データを生成する。ＣＭＯＳ１４０は、カラーフィルタと、受光素子と、ＡＧＣ（Ａｕｔｏ  Ｇａｉｎ  Ｃｏｎｔｒｏｌｌｅｒ）とを含む。受光素子は、光学系１１０によって集光された光を電気信号に変換し、画像データを生成する。ＡＧＣは、受光素子から出力された電気信号を増幅する。なお、撮像部は、ＣＭＯＳに代えて、ＣＣＤ（Ｃｈａｒｇｅ  Ｃｏｕｐｌｅｄ  Ｄｅｖｉｃｅ）イメージセンサーやＮＭＯＳイメージセンサー等の他の撮像素子を用いてもよい。
【００１８】
ＡＤＣ（Ａ／Ｄコンバータ：アナログ−デジタル変換器）１５０は、ＣＭＯＳ１４０で生成されたアナログ画像データをデジタル画像データに変換する。
【００１９】
画像処理部１６０は、ＣＭＯＳ１４０で生成され、変換されたデジタル画像データに対して、コントローラ１８０の制御を受け、各種処理を施す。画像処理部１６０は、表示モニタ２２０に表示するための画像データを生成したり、メモリカード２０１，２０２に格納するための画像データを生成したりする。例えば、画像処理部１６０は、ＣＭＯＳ１４０で生成された画像データに対して、ガンマ補正、ホワイトバランス補正、傷補正等の各種処理を行う。また、画像処理部１６０は、ＣＭＯＳ１４０で生成された画像データを、Ｈ．２６４規格及びＭＰＥＧ２規格に準拠した圧縮形式等により圧縮する。
【００２０】
コントローラ１８０（制御部の一例）は、デジタルカメラ１００の全体を制御する制御手段である。コントローラ１８０は、半導体素子等で実現可能である。画像処理部１６０及びコントローラ１８０は、所定の機能を実現するように設計された専用の電子回路やハードウェアのみで構成されてもよいし、ハードウェアとソフトウェアとを組み合わせることにより実現されてもよい。コントローラ１８０は、マイクロコンピュータ、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又はＦＰＧＡ（Ｆｉｅｌｄ‐Ｐｒｏｇｒａｍｍａｂｌｅ  Ｇａｔｅ  Ａｒｒａｙ）等で実現される。
【００２１】
バッファ１７０は、画像処理部１６０及びコントローラ１８０のワークメモリとして機能する。バッファ１７０は、例えば、ＤＲＡＭ（Ｄｙｎａｍｉｃ  Ｒａｎｄｏｍ  Ａｃｃｅｓｓ  Ｍｅｍｏｒｙ）、強誘電体メモリ等で実現される。
【００２２】
カードスロット１、２（媒体接続部の一例）は、メモリカード２０１、２０２をそれぞれデジタルカメラ１００に装着するための手段である。カードスロット１、２は、機械的及び電気的にメモリカード２０１、２０２とそれぞれデジタルカメラ１００を接続可能である。なお、後述するように、デジタルカメラ１００は、カードスロット１を「スロット１」、カードスロット２を「スロット２」として記録する。
【００２３】
メモリカード２０１、２０２（第１、第２記録媒体又は第１、第２記憶装置の一例）はそれぞれ、フラッシュメモリ又は強誘電体メモリ等を内部に含み、画像処理部１６０で生成された画像ファイル等のデータを格納可能である。
【００２４】
内蔵メモリ２４０（メモリの一例）は、フラッシュメモリ又は強誘電体メモリ等で構成される。内蔵メモリ２４０は、デジタルカメラ１００全体を制御するための制御プログラム及びデータ等を記憶している。内蔵メモリ２４０は、後述する参照テーブル（図１２Ａ及び図１２Ｂ）を記憶する。
【００２５】
操作部材２１０（操作部の一例）は、ユーザからの操作を受け付けるユーザーインターフェースの総称である。操作部材２１０は、ユーザからの操作を受け付けるボタン、レバー、ダイヤル、タッチパネル、及びスイッチ等の少なくとも一つを含む。また、操作部材２１０は、レンズ鏡筒の外周に設けられたフォーカスリングを含む。フォーカスリングは、フォーカスレンズ１１１を移動させるためにユーザにより回転操作される部材である。
【００２６】
表示モニタ２２０は、ＣＭＯＳ１４０で生成された画像データによる画像（ライブビュー画像）、及びメモリカード２０１，２０２から読み出した画像データによる画像を表示可能である。また、表示モニタ２２０は、デジタルカメラ１００の各種設定を行うための各種メニュー画面等も表示可能である。表示モニタ２２０は、液晶表示デバイス、又は有機ＥＬ（Ｅｌｅｃｔｒｏ  Ｌｕｍｉｎｅｓｃｅｎｃｅ）表示デバイスで構成される。
【００２７】
ジャイロセンサ２５０は、デジタルカメラ１００のブレ（動き）を検出するセンサである。ジャイロセンサ２５０からの出力信号に基づき手振れ補正動作及び静止判定が行われる。
【００２８】
電源スイッチ（ＳＷ）２６０は、デジタルカメラ１００の電源をＯＮ又はＯＦＦに切り替える。電源スイッチ２６０がＯＮにされると、コントローラ１８０は起動可能となり、デジタルカメラ１００の撮像処理や画像の記録・再生処理等のメインの機能を実行可能にする。電源スイッチがＯＦＦにされると、コントローラ１８０は起動せず、デジタルカメラ１００のメイン機能は実行できない状態となる。
【００２９】
図２は、デジタルカメラ１００の背面を示す図である。図２では、操作部材２１０の例として、レリーズボタン２１１、選択ボタン２１３、決定ボタン２１４、及びタッチパネル２２２が示されている。操作部材２１０は、ユーザによる操作を受け付けると、コントローラ１８０に種々の指示信号を送信する。
【００３０】
レリーズボタン２１１は、二段押下式の押下式ボタンである。レリーズボタン２１１がユーザにより半押し操作されると、コントローラ１８０はオートフォーカス制御（ＡＦ制御）及びオート露出制御（ＡＥ制御）等を実行する。また、レリーズボタン２１１がユーザにより全押し操作されると、コントローラ１８０は、押下操作のタイミングに撮像された画像データをメモリカード２０１，２０２に記録する。
【００３１】
選択ボタン２１３は、決定ボタン２１４の上下左右方向にそれぞれ設けられた複数の押下式ボタンである。ユーザは、上下左右方向のいずれかの選択ボタン２１３を押下することにより、表示モニタ２２０に表示される画面をスクロールしたり、各種条件項目を選択したりすることができる。
【００３２】
決定ボタン２１４は、押下式ボタンである。デジタルカメラ１００が撮影モード或いは再生モードにあるときに、決定ボタン２１４がユーザにより押下されると、コントローラ１８０は表示モニタ２２０にメニュー画面を表示する。メニュー画面は、撮影（記録）及び再生のための各種条件を設定するための画面である。決定ボタン２１４が各種条件の設定項目が選択されているときに押下されると、コントローラ１８０は、選択された項目の設定を確定する。
【００３３】
タッチパネル２２２は、表示モニタ２２０の表示画面と重畳して配置され、ユーザの指による表示画面上へのタッチ操作を検出する。これにより、ユーザは、表示モニタ２２０に表示された画像に対して領域を指定する等の操作を行える。
【００３４】
上記デジタルカメラ１００においては、カードスロット１に装着されたメモリカード２０１とカードスロット２に装着されたメモリカード２０２との間おいて、画像データをコピーする場合、コピー元となるメモリカードを直近のデジタルカメラ１００の動作に応じて動的に変更する。これにより、ユーザが意図するコピー元のメモリーカードが既に選ばれている確率が上がり、コピー方向の変更操作の手間を抑制できる。以下、本実施の形態に係るデジタルカメラ１００の動作について、詳細に説明する。
【００３５】
［１−２．動作］
［１−２−１．全体動作］
図３は、図１に示すデジタルカメラ１００の全体動作を示すフローチャートであって、主にコントローラ１８０により実行される処理を示す。
【００３６】
電源スイッチ２６０がＯＮにされると（Ｓ１０）、表示モニタ２２０にＣＭＯＳ１４０を介して取得されたライブビューが表示される（Ｓ１１）。ユーザによりレリーズボタン２１１（図２）が全押しされて撮像操作がされると（Ｓ１２）、コントローラ１８０は、画像データの記録処理を実行し（Ｓ１３）、画像データはメモリカード２０１，２０２に記録される。画像データの記録処理においては、後述するカレント情報テーブルＴ２（図１２Ｂ）が更新される。この更新内容は、設定されている画像データの記録方法や記録先によって異なる。画像データの記録方法及び記録先の設定については、後述する。
【００３７】
ユーザが操作部材２１０又はタッチパネル２２２（図２）を操作してメモリカード２０１又は２０２に記録された画像データの再生操作がされると（Ｓ１４）、コントローラ１８０は後述する再生処理を実行する（Ｓ１５）。画像データの再生処理においても、後述するカレント情報テーブルＴ２（図１２Ｂ）が更新される。
【００３８】
ユーザが操作部材２１０又はタッチパネル２２２（図２）を操作してメモリカード２０１，２０２間の画像コピーの操作がされると（Ｓ１６）、コントローラ１８０は、後述するように、メモリカード２０１，２０２間の画像データのコピーを実行する（Ｓ１７）。
【００３９】
ユーザが操作部材２１０又はタッチパネル２２２（図２）を操作してその他の操作が選択されると（Ｓ１８）、コントローラ１８０は、操作に対応するその他の処理を実行する（Ｓ１９）。
【００４０】
電源スイッチ２６０がＯＦＦされない限り（Ｓ２０のＮｏ）ステップＳ１１からＳ１９が実行される。電源スイッチ２６０がＯＦＦにされると（Ｓ２０のＹｅｓ）、デジタルカメラ１００の電源はＯＦＦにされる（Ｓ２１）。
【００４１】
［１−２−２．記録処理］
＜記録方法等設定処理＞
図３のステップＳ１３の画像データの記録処理においては、図１２Ａに示すダブルスロット（ＤＳ）設定テーブルＴ１が参照される。
【００４２】
図１２Ａに示すように、ＤＳ設定テーブルＴ１は、撮像した画像データの記録方法や記録先の設定情報を含む。「記録方法」は、例えば、「リレー記録」、「バックアップ記録」、及び「振り分け記録」のいずれかが設定される。「リレー記録」は、一方のメモリカード２０１（又はメモリカード２０２）にまず画像データを記録し、一方のメモリ容量がいっぱいになったら、他方のメモリカード２０２（又はメモリカード２０１）に画像データを記録する方式である。「バックアップ記録」は、メモリカード２０１及び２０２に同時に画像データを記録する方式である。「振り分け記録」は、画像データの記録フォーマット（動画や静止画等）毎に記録先スロットをメモリカード２０１かメモリカード２０２かに固定する記録方式である。「記録先スロット」は、「リレー記録」が設定されている場合に、いずれのスロットが先に記録されるかを示す（図示例では、カードスロット１から先に記録される）。「ＪＰＥＧ記録先」及び「動画記録先」は、「振り分け記録」が設定されている場合に、それぞれの記録フォーマットに応じた記録先のスロットを示す（図示例では、画像データがＪＰＥＧ及びＲＡＷの場合はカードスロット１に記録され、動画の場合はカードスロット２に記録される）。なお、「振り分け記録」は、その他に、４Ｋや６Ｋ等の解像度の高い記録フォーマットに応じた記録先のスロットを設定できるようにしてもよい。
【００４３】
ＤＳ設定テーブルＴ１の設定や変更は、次のように行われる。コントローラ１８０は、ユーザによる操作に応じて、表示モニタ２２０に、図５に示す記録方法設定画面５０を表示させる。画面５０には、記録方法として、「リレー記録」、「バックアップ記録」、及び「振り分け記録」が対応するアイコンと共に表示される。画面５０においては、ハイライトされた記録方法の説明が表示される。ユーザは、記録方法設定画面５０を見て、操作部材２１０やタッチパネル２２２の操作により、「リレー記録」、「バックアップ記録」、及び「振り分け記録」のうちいずれかの記録方法を選択し、設定する。「リレー記録」を選択した場合、コントローラ１８０は、表示モニタ２２０の画面を、図５の画面５０から画面５１に遷移させる。ユーザは、画面５１を介して、記録先スロットを変更できる。「バックアップ記録」を選択した場合、コントローラ１８０は、表示モニタ２２０の画面を、図５の画面５０から画面５２に遷移させる。「振り分け記録」を選択した場合、コントローラ１８０は、表示モニタ２２０の画面を、図５の画面５０から画面５３に遷移させる。ユーザは、画面５３を介して、記録フォーマット毎に記録先のスロットを設定できる。
【００４４】
＜記録処理＞
図４は、画像データの記録処理の流れを示す。図３のステップＳ１２において撮像操作が実行されると、コントローラ１８０は、上述したＤＳ設定テーブルＴ１（図１２Ａ）を参照し、現在設定されている「記録方法」を取得する（Ｓ１３０１）。コントローラ１８０は、取得した記録方法を判定する（Ｓ１３０２）。
【００４５】
「リレー記録」が設定されている場合、コントローラ１８０は、ＤＳ設定テーブルＴ１（図１２Ａ）の「記録先スロット」を参照する（Ｓ１３０３）。ＤＳ設定テーブルＴ１では現在設定されている記録先はスロット１→スロット２であるとする。この設定に応じて、撮像された画像データは、スロット１に装着されたメモリカード２０１から順次記録される（Ｓ１３０４）。
【００４６】
コントローラ１８０は、カレント情報テーブルＴ２（図１２Ｂ）を更新する（Ｓ１３０５）。カレント情報テーブルＴ２は、最後に利用されたスロット番号、フォルダ番号、ファイル番号を記憶する。ここでは、画像データの記録処理がカードスロット１に記録された時点で終了した場合は、「カレントのスロット番号」は「１」とされ、画像データの記録処理がカードスロット２に記録された時点で終了した場合は「カレントのスロット番号」は「２」とされる。
【００４７】
ステップＳ１３０２において、「バックアップ記録」が設定されている場合、コントローラ１８０は、カードスロット１に装着されたメモリカード２０１とカードスロット２に装着されたメモリカード２０２に並行して画像データを記録する（Ｓ１３０６）。コントローラ１８０は、カレント情報テーブルＴ２（図１２Ｂ）を更新する（Ｓ１３０５）。ここでは、カードスロット１，２が同時に利用されたため、「カレントのスロット番号」は更新されず、新たに生成され最後に記録された「カレントのフォルダ番号」や「カレントのファイル番号」が記録される。
【００４８】
ステップＳ１３０２において、「振り分け記録」が設定されている場合、コントローラ１８０は、画像データの記録フォーマットを取得する（Ｓ１３０７）。コントローラ１８０は、ＤＳ設定テーブルＴ１（図１２Ａ）の記録フォーマット毎の記録先スロットを参照する（Ｓ１３０８）。コントローラ１８０は、記録フォーマットに応じて各画像データを記録先のスロットに記録する（Ｓ１３０９）。コントローラ１８０は、カレント情報テーブルＴ２（図１２Ｂ）を更新する（Ｓ１３０５）。ここでは、最後に画像データが記録されたカードスロットを「カレントのスロット番号」として設定し、最後に画像データが記録されたフォルダ番号を「カレントのフォルダ番号」として設定し、最後に記録された画像データのファイル番号を「カレントのファイル番号」として設定する。
【００４９】
［１−２−３．再生処理］
図６は、図３のステップＳ１５の再生処理の流れを示す。
【００５０】
図３のステップＳ１４の画像データの再生操作に応じて、コントローラ１８０は、カレント情報テーブルＴ２（図１２Ｂ）を参照し、「カレントのスロット番号」、「カレントのフォルダ番号」、「カレントのファイル番号」を取得する（Ｓ１５０１）。ここでは、例えば、図１２Ｂに示すように、「カレントのスロット番号」が「１」、「カレントのフォルダ番号」が「１０１」、「カレントのファイル番号」が「００７」とする。
【００５１】
コントローラ１８０は、カードスロット１に装着されているメモリカード２０１にアクセスし（Ｓ１５０２）、フォルダ番号「１０１」のファイル番号「００７」の画像データを読み出す。
【００５２】
コントローラ１８０は、ユーザによる操作部材２１０又はタッチパネル２２２の操作により画像データが選択されると（Ｓ１５０３のＹｅｓ）、選択された画像データを表示モニタ２２０に順次表示させる（Ｓ１５０４）。なお、画像データの選択は、ユーザが選択ボタン２１３（図２）を押すことによって表示モニタ２２０に表示された画像データを順次切り替えてもよいし、表示モニタ２２０に表示されたファイル名やサムネイル画像を選択してもよい。コントローラ１８０は、表示モニタ２２０に表示された画像データの情報に応じて、カレント情報テーブルＴ２（図１２Ｂ）を更新する（Ｓ１５０５）。例えば、表示された画像データが、メモリカード２０２（スロット２）に保存されたファルダ番号１５５のファイル番号５４のデータであるとすると、カレント情報テーブルＴ２（図１２Ｂ）において、「カレントのスロット番号」を「２」、「カレントのフォルダ番号」を「１５５」、「カレントのファイル番号」を「０５４」とする。コントローラ１８０は、再生動作が終了しない限り（Ｓ１５０６）、ステップＳ１５０１からＳ１５０５を繰り返す。再生動作は、例えば、電源ＯＦＦや他の動作への移行により終了する。
【００５３】
以上のように、画像データの記録や読み出しが行われる毎にカレント情報テーブルＴ２は更新される。
【００５４】
つまり、上記のカレント情報テーブルＴ２において、「カレントのスロット番号」とは、最後に利用されたスロット番号であり、具体的には次のいずれかのスロット番号である。
（１）最後に画像データを記録したスロット
（２）最後に画像データを読み出したスロット
【００５５】
［１−２−４．画像コピー処理］
図７から図９は、図３のステップＳ１７の画像コピー処理の流れを示す。画像コピー処理は、図１０に示す画面１０を表示モニタ２２０に表示させ、ユーザの操作により「画像コピー」を選択することにより開始される。
【００５６】
図３のステップＳ１６の画像コピー操作に応じて、コントローラ１８０はまず、カードスロット１及びカードスロット２にメモリカードが装着されているか否かを判定する（Ｓ１７０１）。双方又はいずれか一方のカードスロットにメモリカードが装着されていない場合、メモリカード間の画像コピーはできないため、画像コピー処理を終了する。この場合、コントローラ１８０は、表示モニタ２２０に表示された画面１０（図１０）の「画像コピー」が選択されても、後述する画像コピーの初期画面である画面１０１へ遷移させない。なお、コントローラ１８０は、メモリカードが装着されていない旨の警告を表示モニタ２２０に表示させてもよい。
【００５７】
双方のスロットにメモリカードが装着されている場合、次の処理に進む。
【００５８】
コントローラ１８０は、カレント情報テーブルＴ２（図１２Ｂ）の「カレントのスロット番号」を参照する（Ｓ１７０２）。「カレントのスロット番号」が「１」の場合（Ｓ１７０３のＹｅｓ）、コントローラ１８０は、コピー元を「１」に設定し（Ｓ１７０４）、コピー方向を「１→２」に設定し（Ｓ１７０５）、設定したコピー方向を内蔵メモリ２４０に記憶する。一方、「カレントのスロット番号」が「２」の場合（Ｓ１７０３のＮｏ）、コントローラ１８０は、コピー元を「２」に設定し（Ｓ１７０６）、コピー方向を「２→１」に設定して（Ｓ１７０７）、設定したコピー方向を内蔵メモリ２４０に記憶する。以下の説明では、コピー方向を「１→２」とされているものとして説明する。
【００５９】
コントローラ１８０は、表示モニタ２２０の画面を図１０の画面１０から画面１０１に遷移させる（Ｓ１７０８）。画面１０１は画像コピー処理の初期画面であり、ユーザは操作により後述するようにコピー対象やコピー方向を選択する（Ｓ１７０９）。なお、ユーザが図１０の画面１０１の戻るボタン１０１ａを選択すると、コントローラ１８０は、画面１０１を画面１０に遷移させて、画像コピー初期画面を終了させる（Ｓ１７１０）。
【００６０】
コピー対象は、「カード内全画像コピー」、「フォルダ内全画像コピー」及び「画像選択コピー」のいずれかを選択可能である。図８に示すステップＳ１７１１において、「カード内全画像コピー」が選択された場合、コントローラ１８０は表示モニタ２２０の画面を図１０に示す画面１０２に遷移させる。ユーザが画面１０２の「はい」を選択することにより、コントローラ１８０は、コピー元であるカードスロット１のメモリカード２０１の全画像データをコピー先のカードスロット２のメモリカード２０２にコピーする（Ｓ１７２２）。
【００６１】
ステップＳ１７１２において、「フォルダ内全画像コピー」が選択された場合、コントローラ１８０は、図７のステップＳ１７０３〜Ｓ１７０７において記憶したコピー元のスロット番号「１」を取得し（Ｓ１７１３）、カードスロット１に装着されたメモリカード２０１にアクセスする。このとき、コントローラ１８０は、表示モニタ２２０の画面を画面１０１（図１０）から画面１１（図１１）に遷移させる。画面１１には、コピー元のカードスロット１に保存されたフォルダ名が表示される（Ｓ１７１４）。コントローラ１８０は、この画面１１を介してユーザによるフォルダの選択操作を受け付ける（Ｓ１７１５）。次いで、コントローラ１８０は、表示モニタ２２０の画面を画面１２（図１１）に遷移させる。ユーザが画面１２の「はい」を選択することにより、コントローラ１８０は、コピー元であるカードスロット１のメモリカード２０１内のフォルダ（図示例では、「１０１＿ＰＡＮＡ」）を、スロット２のメモリカード２０２にコピーする（Ｓ１７２２）。
【００６２】
ステップＳ１７１６において、「画像選択コピー」が選択された場合、コントローラ１８０は、図７のステップＳ１７０３〜Ｓ１７０７において記憶したコピー元のスロット番号「１」を取得し（Ｓ１７１７）、カードスロット１に装着されたメモリカード２０１にアクセスする。このとき、コントローラ１８０は、表示モニタ２２０の画面を画面１０１（図１０）から画面１１（図１１）に遷移させる。画面１１には、コピー元のスロット１のメモリカード２０１に保存されたフォルダ名が表示される（Ｓ１７１８）。コントローラ１８０は、この画面１１を介してユーザによるフォルダの選択操作を受け付ける（Ｓ１７１９）。次いで、コントローラ１８０は、表示モニタ２２０の画面を画面１１から画面１３（図１１）に遷移させ、選択されたフォルダ内の画像データのサムネイルを含む画像選択画面を表示する（Ｓ１７２０）。コントローラ１８０は、画面１３を介してユーザ操作による画像データの選択を受け付ける（Ｓ１７２１）。次いで、コントローラ１８０は、表示モニタ２２０の画面を画面１４（図１１）に遷移させる。ユーザが画面１４の「はい」を選択することにより、コントローラ１８０は、コピー元であるカードスロット１のメモリカード２０１において選択したフォルダ（図示例では、「１０１＿ＰＡＮＡ」）内の選択した画像データを、カードスロット２のメモリカード２０２にコピーする（Ｓ１７２２）。コントローラ１８０は、画像コピーの実行後は、表示モニタ２２０の画面を画像コピー処理の初期画面である画面１０１（図１０）に戻し（Ｓ１７２３）、図７のステップＳ１７０９に戻る。
【００６３】
なお、図８のステップＳ１７１６において画像選択コピーを実行する場合、選択される画像データが連写で撮られたデータである場合、一連の画像データはグループ化されて代表画像データのみ再生される場合がある。画像コピー処理を実行する場合は、連写で撮られた画像データが含まれる場合であっても、コピー元のスロット内の全画像データからコピー対象である画像データを選択できるようにする。
【００６４】
次に、図７のステップＳ１７０９において、ユーザが操作によりコピー方向を変更する場合について図９を参照しながら説明する。このとき、コントローラ１８０は、図１０の画面１０１を画面１０３に遷移させ、コピー方向変更画面を表示する（Ｓ１７３０）。ユーザは画面１０３を介してコピー方向を選択する（Ｓ１７３１）。ユーザによりコピー方向「１→２」が選択された場合、コントローラ１８０はコピー方向を「１→２」に設定し、内蔵メモリ２４０に記憶する（Ｓ１７３２）。同様に、ユーザによりコピー方向「２→１」が選択された場合、コントローラ１８０はコピー方向を「２→１」に設定し、内蔵メモリ２４０に記憶する（Ｓ１７３３）。コントローラ１８０は、コピー方向設定後は、表示モニタ２２０の画面を画像コピー処理の初期画面である画面１０１（図１０）に戻し（Ｓ１７３４）、図７のステップＳ１７０９に戻る。
【００６５】
図９に示す処理により設定されたコピー方向は、画像コピー処理が終了しない間は、内蔵メモリ２４０に保持されていてもよい。これにより、画像コピー処理をユーザが繰り返し行う間、ユーザが次も使用の可能性が高いコピー方向が設定・保持されていることになるため、ユーザは毎回コピー方向を設定する必要はない。画像コピー処理において設定されたコピー方向は、画像コピー処理終了後は破棄され、次回の画像コピー処理開始時にはデフォルトのコピー方向（例えば、２→１）に設定されてもよい。或いは、画像コピー処理において設定されたコピー方向はそのまま内蔵メモリ２４０に保持され、次回の画像コピー処理において利用するようにしてもよい。
【００６６】
［１−３．効果］
上記実施の形態１に係るデジタルカメラ１００においては、コントローラ１８０は、カードスロット１，２に装着されたメモリカード２０１，２０２間における画像データのコピーを実行する。コントローラ１８０は、メモリカード２０１，２０２のうち、最後に画像データを記録したメモリカード、又は最後に画像データを読み出したメモリカードを示す対象媒体情報（例えば、カレントのスロット番号）を内蔵メモリ２４０に記憶する。コントローラ１８０は、対象媒体情報に基づき、メモリカード２０１，２０２のうち、画像データのコピー元及びコピー先を設定し、同コピー方向を示す情報を表示モニタ２２０により出力させる。
【００６７】
デジタルカメラ１００においては、メモリカード２０１，２０２間のコピー方向は、利用する可能性の高いコピー方向、すなわち、最後に画像データを記録したカードスロットのメモリカード、又は最後に画像データを読み出したカードスロットのメモリカードをコピー元とするコピー方向が、動的に設定される。従って、ユーザがメモリカード２０１，２０２間で画像データをコピーする際に、意図するコピー元のメモリーカードが既に選ばれている確率を高くなり、ユーザによるコピー方向の変更操作の手間を抑制できる。
【００６８】
［２．その他実施の形態］
以上のように、本出願において開示する技術の例示として、各実施の形態を説明した。しかしながら、本開示における技術は、これに限定されず、適宜、変更、置き換え、付加、省略等を行った実施の形態にも適用可能である。また、上記実施の形態で説明した各構成要素を組み合わせて、新たな実施の形態とすることも可能である。
【００６９】
（１）図７に示す画像コピー処理においては、コピー方向を設定する処理（Ｓ１７０２〜Ｓ１７０７）の前に、コントローラ１８０は、カードスロット１及びカードスロット２の各メモリカード２０１，２０２に画像データが記録されているか否かを判断するようにしてもよい。メモリカード２０１，２０２のいずれか一方に画像データが記録されていない場合、コントローラ１８０は、コピー方向を、画像データが記録されているカードスロットのメモリカードから、画像データが記録されていないカードスロットのメモリカードに設定してもよい。
【００７０】
（２）カードスロットは３つ以上設けられていてもよい。例えば、３枚のカードスロット（スロット１，２，３）がある場合、コピー方向は、「１→２」、「２→１」、「１→３」、「３→１」、「２→３」、「３→２」の組み合わせの中から選択され、設定される。
【００７１】
（３）画像コピー処理は、メモリカード間に適用されることに限定されない。上記実施の形態に係る画像コピー処理は、メモリカードと内蔵メモリの間においても適用可能である。更に、デジタルカメラ１００に装着又は内蔵された記録媒体と、デジタルカメラ１００に有線又は無線で接続される記録媒体（磁気記録媒体、光記録媒体、フラッシュメモリ等）との間においても適用可能である。
【００７２】
（４）上記実施の形態において、画像データのコピー方向は、図７のＳ１７０２〜Ｓ１７０７の処理や、図９のコピー方向の変更によって設定され、設定されたコピー方向は、図１０の画面１０１（画像コピー初期画面）に示すように表示モニタ２２０により表示されるが、これに限定されない。表示モニタ２２０による表示に代えて、或いはこれに加えて、コントローラ１８０は、設定されているコピー方向を案内する音声を出力させてもよい。この場合、コントローラ１８０は、予め記憶した音声ガイドをスピーカ（図示省略）から出力させる。音声ガイドのの出力は、画像コピー初期画面を表示させるタイミング（図７のＳ１７０８）と同じタイミングで行ってもよい。かかる音声出力により、ユーザは、上記実施の形態１と同様に、画像コピー処理が実行される（図８のＳ１７１１からＳ１７２２）前に、予めコピー方向を把握することができ、必要に応じてコピー方向を変更（図９のＳ１７３１からＳ１７３４）することができる。
【００７３】
また、コントローラ１８０は、表示モニタ２２０に表示される情報に沿ってユーザが操作することにより画像コピー処理を実行しているが、音声の入出力によって画像コピー処理を実行できるようにしてもよい。この場合、コントローラ１８０は、スピーカ（図示省略）を介して操作手順を音声出力させ、ユーザがマイクロフォン（図示省略）から操作指示を音声で入力することにより、画像コピー処理を実行する。
【００７４】
（５）上記実施の形態においては、撮像装置としてレンズ一体型のデジタルカメラを例にしていたが、レンズ交換型のカメラでもよい。撮像装置は、スマートフォンやその他の携帯端末等、撮像機能を有する他の電子機器であってもよい。
【００７５】
（６）上記実施の形態における制御フローにおける処理の実行順序は、必ずしも、上記実施の形態の記載に制限されるものではなく、発明の要旨を逸脱しない範囲で、実行順序を入れ替えたり、複数の処理を同時又は並行して実行したりしてもよい。
【００７６】
（７）以上のように、本開示における技術の例示として、実施の形態を説明した。そのために、添付図面及び詳細な説明を提供した。したがって、添付図面及び詳細な説明に記載された構成要素の中には、課題解決のために必須な構成要素だけでなく、上記技術を例示するために、課題解決のためには必須でない構成要素も含まれ得る。
【産業上の利用可能性】
【００７７】
本開示は、デジタルカメラ、ムービーカメラ、カメラ付き携帯電話機等、撮像機能を備える電子機器に適用可能である。
【符号の説明】
【００７８】
１，２        ：カードスロット
５０        ：記録方法設定画面
１００      ：デジタルカメラ
１０１ａ    ：戻るボタン
１１０      ：光学系
１１１      ：フォーカスレンズ
１１２      ：ズームレンズ
１１３      ：補正レンズ
１２０      ：レンズ駆動部
１３０      ：シャッタ
１４０      ：ＣＭＯＳ
１６０      ：画像処理部
１７０      ：バッファ
１８０      ：コントローラ
２０１      ：メモリカード
２０２      ：メモリカード
２１０      ：操作部材
２１１      ：レリーズボタン
２１３      ：選択ボタン
２１４      ：決定ボタン
２２０      ：表示モニタ
２２２      ：タッチパネル
２４０      ：内蔵メモリ
２５０      ：ジャイロセンサ
２６０      ：電源スイッチ
３００      ：絞り
Ｔ１        ：ダブルスロット設定テーブル
Ｔ２        ：カレント情報テーブル
【要約】
【課題】複数の記録媒体間における画像データのコピーの操作を、簡単且つ円滑に行う撮像装置を提供する。
【解決手段】デジタルカメラ１００において、コントローラ１８０は、メモリカード２０１，２０２間における画像データのコピーを実行する。コントローラ１８０は、メモリカード２０１，２０２のうち、最後に画像データを記録したメモリカード、又は最後に画像データを読み出したメモリカードを示す対象媒体情報をメモリに記憶する。コントローラ１８０は、対象媒体情報に基づき、メモリカード２０１，２０２のうち、画像データのコピー元のメモリカード及びコピー先のメモリカードを含むコピー方向を設定する。
【選択図】図１【図１】
0006671055.tif 000002
【図２】
0006671055.tif 000003
【図３】
0006671055.tif 000004
【図４】
0006671055.tif 000005
【図５】
0006671055.tif 000006
【図６】
0006671055.tif 000007
【図７】
0006671055.tif 000008
【図８】
0006671055.tif 000009
【図９】
0006671055.tif 000010
【図１０】
0006671055.tif 000011
【図１１】
0006671055.tif 000012
【図１２Ａ】
0006671055.tif 000013
【図１２Ｂ】
0006671055.tif 000014